(57)【要約】【課題】ＦＰＣの曲げ部において耐久性と屈曲性を有しつつ、ノイズ対策も充分なフレキシブルプリント基板を提供する。【解決手段】ＦＰＣ１の曲げ部２のベース層１２の表面側にメッシュ状に第２のグランド曲げ線を形成すると共に、この第２のグランド曲げ線と横方向に交わる第３のグランド曲げ線を形成し、ベース層１２の裏面側に曲げ方向に沿って第１のグランド曲げ線１６を形成し、第１のグランド曲げ線１６と第２のグランド曲げ線２０及び第３のグランド曲げ線２２とをスルーホール２６で電気的に接続する。【選択図】      図２
2008124317.tif 000002
【特許請求の範囲】
【請求項１】
２つの平面部と、その間に位置する曲げ部とを有するフレキシブルプリント基板において、
前記曲げ部におけるベース層の一方の面には、前記２つの平面部の信号配線間を結ぶ複数の第１の信号線と、前記２つの平面部のグランド線間を結ぶ複数の第１のグランド線とを有し、
前記曲げ部におけるベース層の他方の面には、前記２つの平面部のグランド線間を斜めのメッシュ状に結ぶ複数の第２のグランド線と、前記複数の第２のグランド線間を結ぶ線であって、前記曲げ部の曲げ方向と直交する方向に形成された複数の第３のグランド線とを有し、
前記曲げ部の一方の面にある第１のグランド線と、前記他方の面にある前記第２のグランド線または前記第３のグランド線とを接続するスルーホールを有する
ことを特徴とするフレキシブルプリント基板。
【請求項２】
前記第２のグランド線と前記第３のグランド線以外の部分に、前記曲げ部の一方の面のカバー層が形成されている
ことを特徴とする請求項１記載のフレキシブルプリント基板。
【請求項３】
前記第１の信号線と前記第１のグランド線とが、前記曲げ部の曲げ方向と平行に形成されている
ことを特徴とする請求項１記載のフレキシブルプリント基板。
【請求項４】
前記フレキシブルプリント基板が、液晶セルと駆動用プリント配線基板とを接続する
ことを特徴とする請求項１記載のフレキシブルプリント基板。
【発明の詳細な説明】
【技術分野】
【０００１】
本発明は、電子機器に用いられるフレキシブルプリント基板（以下、単にＦＰＣという）に関するものである。
【背景技術】
【０００２】
近年、テレビジョン受像機、カーナビゲーションシステム（以下、カーナビという）、携帯電話等には液晶表示装置が用いられ、この液晶表示装置の液晶セルと駆動用プリント配線基板の接続は、ＦＰＣを使用することが多くなってきている。一方、プリント配線基板を液晶セルの裏面側に配置する必要があるため、ＦＰＣの一部に曲げ部を設ける必要がある。そのため、この曲げ部においても、信号線やグランド線が切れることがなく、かつ、屈曲性を有する構造を持たせる必要がある。
【０００３】
したがって、従来のＦＰＣにおいては、曲げ部において複数のグランド線と複数の信号線とがＦＰＣのベース層を挟んで対峙しない位置に配置されているものが提案されている（例えば、特許文献１参照）。
【特許文献１】特開２００４−８８０２０号公報
【発明の開示】
【発明が解決しようとする課題】
【０００４】
上記のようなＦＰＣにおいては、屈曲性が良いという効果はあるが、各信号線からのＥＭＩ波の放射の低減対策が、充分でないという問題点がある。
【０００５】
そこで、本発明は、上記問題点に鑑み、ＦＰＣの曲げ部において耐久性と屈曲性を有しつつ、ノイズ対策も充分なフレキシブルプリント基板を提供する。
【課題を解決するための手段】
【０００６】
本発明は、２つの平面部と、その間に位置する曲げ部とを有するフレキシブルプリント基板において、前記曲げ部におけるベース層の一方の面には、前記２つの平面部の信号配線間を結ぶ複数の第１の信号線と、前記２つの平面部のグランド線間を結ぶ複数の第１のグランド線とを有し、前記曲げ部におけるベース層の他方の面には、前記２つの平面部のグランド線間を斜めのメッシュ状に結ぶ複数の第２のグランド線と、前記複数の第２のグランド線間を結ぶ線であって、前記曲げ部の曲げ方向と直交する方向に形成された複数の第３のグランド線とを有し、前記曲げ部の一方の面にある第１のグランド線と、前記他方の面にある前記第２のグランド線または前記第３のグランド線とを接続するスルーホールを有することを特徴とするフレキシブルプリント基板である。
【発明の効果】
【０００７】
本発明によれば、屈曲性と耐久性を有しつつ、メッシュ状の第２のグランド線と、第３のグランド線によりノイズからの影響を防止することができる。
【発明を実施するための最良の形態】
【０００８】
以下、本発明の一実施形態のＦＰＣ１について図１〜図４に基づいて説明する。
【０００９】
本実施形態のＦＰＣ１は、図１に示すように、例えばカーナビ用の液晶表示装置１００に取り付けられている。
【００１０】
この液晶表示装置１００の５〜６インチの液晶セル１０２は、アレイ基板１０４に、液晶層を挟んで対向基板１０６が配置されている。アレイ基板１０４のＸ側の棚部には、６個のＩＣチップからなる信号線ドライバー回路１０８−１〜１０８−６が形成され、また、アレイ基板１０４のＹ側の棚部には１個のＩＣチップからなる走査線ドライバー回路１１０が形成されている。
【００１１】
これら６個の信号線ドライバー回路１０８−１〜１０８−６からは、複数本の信号線１１２と１本のグランド線１１４がそれぞれ引き出されてその先端部にランドが形成され、また、走査線ドライバー回路１１０からも複数の信号線１１６と１本のグランド線１１８が引き出され、その先端にランドが形成されている。
【００１２】
アレイ基板１０４のＸ側の棚部には、ＦＰＣ１が配置されている。このＦＰＣ１は、長方形状のＦＰＣ主部１０を有し、このＦＰＣ主部１０から外方に向かって曲げ部２が突出し、この曲げ部２と連続してＦＰＣ接続部３が形成され、このＦＰＣ接続部３の端部はＦＰＣ補強板４となっている。
【００１３】
ＦＰＣ主部１０は、樹脂よりなるベース層の裏面側に、各信号線１１２，１１６のランドと接続される信号枝線１２８と、グランド線１１４，１１８のランドと接続されるグランド枝線１３０がＦＰＣ１の長手方向と直交する方向に平行に所定間隔に形成されている。
【００１４】
ＦＰＣ１のベース層の表面側には、各信号枝線１２８とスルーホールを介して接続される信号主線１３２が形成されている。この信号主線１３２は、ＦＰＣ１の長手方向と平行に形成されている。また、各グランド枝線１３０とスルーホールを介してグランド主線１３４が信号主線１３２と平行に形成されている。
【００１５】
これらＦＰＣ１のベース層の裏面側には、各信号枝線１２８とグランド枝線１３０を覆うカバー層が形成され、表面側においても同様に信号主線１３２とグランド主線１３４を覆うカバー層が形成されている。
【００１６】
次に、曲げ部２の構造について図２〜図４に基づいて説明する。
【００１７】
この曲げ部２は、ＦＰＣ接続部３を液晶セル１０２の裏面側に配置してある駆動用プリント配線基板と接続するために折り曲げる部分である。
【００１８】
この曲げ部２のベース層１２の裏面側には、曲げ方向に沿って所定間隔毎に平行に複数本の信号曲げ線１４と複数本の第１のグランド曲げ線１６が形成されている。各信号曲げ線１４は、前記した信号線主線７とそれぞれ接続され、第１のグランド曲げ線１６はグランド主線１３４にスルーホールを介して電気的に接続されている。
【００１９】
各信号曲げ線１４は、ＦＰＣ接続部３のベース層の裏面側に設けられた不図示の信号配線に接続され、プリント配線基板に接続される。一方、第１のグランド曲げ線１６は、ＦＰＣ接続部３のベース層の表面側に設けられた面状のグランド面１８にスルーホールを介して電気的に接続されている。このグランド面１８がプリント配線基板に接続される。
【００２０】
曲げ部２のベース層の表面側には、図２に示すように斜め方向に第２のグランド曲げ線２０が所定間隔毎に互いに交差するように形成されている。即ち、第２のグランド曲げ線２０はメッシュ状に形成されている。また、この第２のグランド曲げ線２０と交差するように、かつ、曲げ方向と直交するように第３のグランド曲げ線２２が複数本形成されている。さらに、第２のグランド曲げ線２０の両側、即ち第３のグランド曲げ線２２の両端側には、曲げ方向に沿って第４のグランド曲げ線２４が形成されている。これら第２のグランド曲げ線２０、第３のグランド曲げ線２２及び第４のグランド曲げ線２４は、ＦＰＣ１のグランド主線１３４とＦＰＣ接続部３のグランド面１８とを電気的に接続している。さらに、第２のグランド曲げ線２０、第３のグランド曲げ線２２、第４のグランド曲げ線２４と、ベース層１２の裏面側にある第１のグランド曲げ線１６とが重なる部分にスルーホール２６が設けられ、第１のグランド曲げ線１６と電気的に接続されている。
【００２１】
曲げ部２における表面側のカバー層２８は、第２のグランド曲げ線２０、第３のグランド曲げ線２２及び第４のグランド曲げ線２４が設けられている以外の部分、例えば図２における円形状の部分にカバー層２８を設ける。これによって、曲げ部２を保護することもできる。
【００２２】
上記のような曲げ部２にメッシュ状の第２のグランド曲げ線２０を設け、かつ、曲げ方向と直交する方向に第３のグランド曲げ線２２を設けることにより、第２のグランド曲げ線２０の交差部分に応力が集中することがなく、耐久性が上昇する。
【００２３】
また、第２のグランド曲げ線２０がメッシュ状であるため、ノイズから信号曲げ線を保護することができる。
【００２４】
また、スルーホール２６を介して、第１のグランド曲げ線１６と、第２のグランド曲げ線２０、第３のグランド曲げ線２２、第４のグランド曲げ線２４が接続されているため、グランドの強化となり、ノイズから更に防止することができる。
【００２５】
本発明は上記各実施形態に限らず、その主旨を逸脱しない限り種々に変更することができる。
【００２６】
上記実施形態では、カーナビ用の液晶表示装置１０について説明したが、これ以外に液晶テレビ、携帯電話の液晶表示装置に用いられるＦＰＣや、その他電子機器に用いられるＦＰＣにも本願発明を適用することができる。
【図面の簡単な説明】
【００２７】
【図１】本発明の一実施形態を示す液晶表示装置の構造である。
【図２】ＦＰＣの曲げ部の拡大平面図である。
【図３】図２におけるＡ−Ａ線断面図である。
【図４】図２におけるＢ−Ｂ線断面図である。
【符号の説明】
【００２８】
１  ＦＰＣ
２  曲げ部
１２  ベース層
１４  信号曲げ線
１６  第１のグランド曲げ線
１８  グランド面
２０  第２のグランド曲げ線
２２  第３のグランド曲げ線
２４  第４のグランド曲げ線
２６  スルーホール
２８  カバー層
【図１】
2008124317.tif 000003
【図２】
2008124317.tif 000004
【図３】
2008124317.tif 000005
【図４】
2008124317.tif 000006